(57)【要約】【課題】本発明は、一般家庭のベランダやビルの屋上さらに学校の通路等といった土壌の存在しないところでも植物栽培が簡易かつ経済的にできる給水分岐パイプ及び植物栽培ユニットを提供する。【解決手段】本発明の給水分岐パイプ１及びこれを用いた植物栽培ユニット８は、水平パイプ２と垂直パイプ３が連通されるように連結された給水分岐パイプ１の水平方向に繋がれた複数の栽培容器６と該給水分岐パイプの垂直上方向に繋がれた少なくとも一つの貯水タンク７とで構成され且つ栽培容器６と貯水タンク７が給水分岐パイプ１の結合部に装着された雌ネジを有するキャップ４で繋がれていることを特徴としている。【選択図】        図７
2006136309.tif 000002
【特許請求の範囲】
【請求項１】
水平方向に複数の開口部を有する水平パイプ２と垂直上方向に少なくとも一つの開口部を有する垂直パイプ３が各々の開口部とは反対口部でパイプ同士が連通されるように連結され且つ水平パイプ２及び垂直パイプ３の開口部には雌ネジを有するキャップ４がに装着されていることを特徴とする給水分岐パイプ１。
【請求項２】
キャップ４が回転自在に装着されていることを特徴とする請求項1に記載の給水分岐パイプ。  
【請求項３】
垂直パイプ３の開口部には、垂直上方向に延長する突起棒５が該開口部の略中心部に設けられていることを特徴とする請求項１から２のいずれかにに記載の給水分岐パイプ１。
【請求項４】
給水分岐パイプ１の水平方向に繋がれた複数の栽培容器６と該給水分岐パイプの垂直上方向に繋がれた少なくとも一つの貯水タンク７とで構成され且つ  栽培容器６と貯水タンク７が、給水分岐パイプ１の結合部に装着された雌ネジを有するキャップ４で繋がれていることを特徴とする植物栽培ユニット８。
【請求項５】
貯水タンク７が、該タンク開口部の内径より大きい球形体であって水に対して浮力を有する弾性球体からなる水封止体１０を内蔵していることを特徴とする請求項４に記載の植物栽培ユニット８。
【請求項６】
貯水タンク７と給水分岐パイプ１を繋いだ際、貯水タンク７の内部に設けられた水封止体１０が給水分岐パイプ１の垂直パイプ３開口部に設けられた突起棒５により、水封止体１０が押し上げられて貯水タンク７内の水が栽培タンク６内に注入されるように構成されていることを特徴とする請求項４から５のいずれかに記載の植物栽培ユニット８。
【請求項７】
栽培容器６及び貯水タンク７の少なくとも一方がペットボトルで構成されていることを特徴とする請求項４から６のいずれかに記載の植物栽培ユニット８。
【発明の詳細な説明】
【技術分野】
【０００１】
本発明は、ペットボトルを再利用することができる給水分岐パイプ及びこれを用いた植物栽培ユニットに関する。さらに詳しくは、水平方向に複数の開口部を有する水平パイプと垂直上方向に少なくとも一つの開口部を有する垂直パイプが各々の開口部とは反対口部でパイプ同士が連通されるように連結され且つ水平パイプ及び垂直パイプの開口部には雌ネジを有するキャップが装着された給水分岐パイプに関する。また、該給水分岐パイプの水平方向に繋がれた複数の栽培容器と該給水分岐パイプの垂直上方向に繋がれた少なくとも一つの貯水タンクとで構成され且つ栽培容器と貯水タンクが、給水分岐パイプの結合部に装着された雌ネジを有するキャップで繋がれた植物栽培ユニットに関する。
【背景技術】
【０００２】
植物の栽培装置や方法として複数の小容器やペットボトルを利用した特許が提案されている。例えば、内部に充填された液体を利用した後の容器を上下に切断し、鉢部とこの鉢部に養液を供給する水溶器部とを形成し、水溶器部の養液により鉢部の植物を栽培することにより第１段の育成を行い、続いて養液タンク内の水を滴下供給する縦型養液栽培装置の植え込み部材に対して前記鉢部を設置することにより或いは鉢部から抜き去って直接に植設することにより第２段の育成を行う廃棄容器を利用した植物栽培方法が提案されている。（特許文献１参照）
【０００３】
また、直射日光をうける屋外に設置した養液栽培装置での栽培方法において、
直射日光による養液栽培装置内部と溶液の温度上昇を抑制するために装置の外周部に断熱性を有する培地を充填した容器を複数配置して植物を栽培する植物栽培方法が提案されている。（特許文献２参照）
【０００４】
また、２本の同形のペットボトルをそれぞれ上部と下部に分割した後に、注ぎ口を有する上部同士をそれぞれの注ぎ口が両端に位置する状態に嵌合することができるペットボトルの形状が提案されている。 (特許文献３参照)  
【０００５】
しかしながら、提案されている植物栽培容器や方法においては、小容器やペットボトルを利用した容器への給水方法に問題があった。即ち前記従来技術においては不織布等の毛管現象を利用して立体的に植物栽培容器を構成しているため、給水においてはポンプが必要になるだけでなく植物栽培装置そのものが大掛かりなものとなり経済的でないという問題があった。また、装置の設置場所を確保するにも容易ではなかった。                              
【０００６】
また、さらにペットボトルを再利用しているという点では経済的ではあるが、２本の同形のペットボトルをそれぞれ上部と下部に分割した後に、注ぎ口を有する上部同士をそれぞれの注ぎ口が両端に位置する状態に嵌合するのみの容器であるため、個々の容器各々に給水を常に行わなくてはならず植物栽培が煩雑となるという問題があった。
【０００７】
一方、都市部においては、ヒートアイランド現象、地球温暖化等の環境問題、夏場におけるクーラーの使用による電力不足により、環境問題及び節電対策として屋上緑化の必要性が強く叫ばれ屋上に土壌を搬入し、樹木や植物の栽培が試みられているがコスト面等多くの課題を含んでいるのが現状である。                                
【０００８】
そのため、ペットボトルの再利用容器や小容器を利用した植物栽培において経済的且つ簡易に行うことができ、さらに植物栽培が煩雑にならないような植物栽培システムが望まれていた。また、学校教育の一環として行われている植物栽培においても、コンクリートや通路といった土壌の存在しない敷地においても簡易に且つ経済的に実施できる植物栽培ユニットの開発が望まれていた。
【０００９】
本発明者は、上記問題点に鑑みペットボトルの再利用容器や小容器を利用した植物栽培ユニットについて鋭意研究した結果本発明を完成するに至った。
【００１０】
【特許文献１】特開平１０−３２７６７５号公報
【特許文献２】特願２００３−３１９５８４号
【特許文献３】特願２００４−０７７７１９号
【発明の開示】
【発明が解決しようとする課題】
【００１１】
本発明は、一般家庭のベランダやビルの屋上さらに学校の通路等といった土壌の存在しないところでも植物栽培が簡易かつ経済的にできる給水分岐パイプ及び植物栽培ユニットの提供することを課題とする。
【課題を解決するための手段】
【００１２】
本発明の第１は、水平方向に複数の開口部を有する水平パイプ２と垂直上方向に少なくとも一つの開口部を有する垂直パイプ３が各々の開口部とは反対口部でパイプ同士が連通されるように連結され且つ水平パイプ２及び垂直パイプ３の開口部には雌ネジを有するキャップ４が装着されていることを特徴とする給水分岐パイプ１に関する。    
【００１３】
本発明の第２は、キャップ４が回転自在に装着されていることを特徴とする給水分岐１に関する。
【００１４】
本発明の第３は、垂直パイプ３の開口部には、垂直上方向に延長する突起棒５が該開口部の略中心部に設けられていることを特徴とする第１から２のいずれかに記載の給水分岐パイプ１に関する。
【００１５】
本発明の第４は、給水分岐パイプ１の水平方向に繋がれた複数の栽培容器６と該給水分岐パイプの垂直上方向に繋がれた少なくとも一つの貯水タンク７とで構成され且つ栽培容器６と貯水タンク７が、給水分岐パイプ１の結合部に装着された雌ネジを有するキャップ４で繋がれていることを特徴とする植物栽培ユニット８に関する。
【００１６】
本発明の第５は、貯水タンク７が、該タンク開口部の内径より大きい球形体であって水に対して浮力を有する弾性球体からなる水封止体１０を内蔵していることを特徴とする第４に記載の植物栽培ユニット８に関する。
【００１７】
本発明の第６は、貯水タンク７と給水分岐パイプ１を繋いだ際、貯水タンク７の内部に設けられた水封止体１０が給水分岐パイプ１の垂直パイプ３開口部に設けられた突起棒５により、水封止体１０が押し上げられて貯水タンク７内の水が栽培タンク６内に注入されるように構成されていることを特徴とする第４から５のいずれかに記載の植物栽培ユニットに関する。
【００１８】
本発明の第７は、植物栽培容器６及び貯水タンク７のすくなくとも一方がペットボトルで構成されていることを特徴とする第４から６のいずれかにに記載の植物栽培ユニットに関する。
【発明の効果】
【００１９】
本発明の給水分岐パイプは、一般家庭や職場等で発生する飲み干したペットボトルを該パイプに接続するだけで植物栽培容器として利用できるため、経済的且つ簡易に植物栽培が行えるという優れた効果を有している。
【００２０】
また、本発明の給水分岐パイプは、安価に製造できるため経済的であるという効果を有している。さらに本発明の給水分岐パイプは小型であるため植物栽培において大きな場所を必要としないという効果がある。
【００２１】
また、本発明の植物栽培ユニットは、小型容器や再利用ペットボトルを使用いているため経済的である。また、本発明の植物栽培ユニットは、小型であるため場所を採らず狭い場所でも植物栽培を行うことができるという効果がある。    
【００２２】
また、本発明の植物栽培ユニットは、該ユニットを複数敷設することによりビルの屋上などの広敷地でも経済的に屋上緑化を行うことができるという優れた効果がある。
【００２３】
また、本発明の植物栽培ユニットは、ビルの屋上や学校の通路、さらにマンションのベランダ等土壌が存在しない場所においても植物栽培を実施できるという効果がある。
【００２４】
また、ビルの屋上等に本発明の植物栽培ユニットを使用することにより、経済的に屋上緑化が実施できるだけでなく、地球の温暖化の解消や環境の美化に貢献できるという優れた効果を有している。
【発明を実施するための最良の形態】
【００２５】
以下本発明について具体的に説明する。
【００２６】
本発明の給水分岐パイプの構成について図１及び図２を参照して説明する。
本発明の給水分岐パイプ１は、水平方向に複数の開口部を有する水平パイプ２と垂直上方向に少なくとも一つの開口部を有する垂直パイプ３が各々の開口部とは反対口部でパイプ同士が連通されるように連結され且つ水平パイプ２及び垂直パイプ３は、水平パイプ２及び垂直パイプ３の開口部に雌ネジを有するキャップ４が装着された構成となっている。
【００２７】
また、このキャップ４の雌ネジは、例えばペットボトルの開口部の雄ネジと嵌着できるようなネジ山とネジピッチに構成することにより、再利用ペットボトルの嵌着と密栓ができる構成となっている。
この場合、水平パイプ２に繋がれたペットボトルは植物栽培容器の役目をし、また、垂直パイプ３に繋がれたペットボトルは植物に供給する水の貯水タンクの役目をする。またさらに、キャップ４は固定してもよくまた回転自在に装着してもよい。
【００２８】
また、給水分岐パイプ１の垂直パイプ３の開口部には、垂直上方向に延長する突起棒５が該開口部の略中心部に設けられた構成となっている。この突起棒５は、垂直パイプ３に容器を繋いだ際、貯水タンク容器内の水漏れを防止し密栓の役目を果たすためにあらかじめ容器内に内臓されている、後述の水封止体１０を開栓する役目をする。
【００２９】
次に本発明の給水分岐パイプ１を用いた植物栽培ユニットの構成について図３から図６を参照して説明する。
本発明の植物栽培ユニット８は、給水分岐パイプ１の水平方向に繋がれた複数の栽培容器６と該給水分岐パイプの垂直上方向に繋がれた少なくとも一つの貯水タンク７とで構成され且つ栽培容器６と貯水タンク７が、給水分岐パイプ１の結合部に装着された雌ネジを有するキャップ４で繋がれた構成となっている。
【００３０】
また、このキャップ４の雌ネジは、例えばペットボトルの開口部の雄ネジと嵌着できるようなネジ山とネジピッチに構成することにより、再利用ペットボトルの嵌着と密栓ができる構成となっている。この場合、水平パイプ２に繋がれたペットボトルは植物栽培容器の役目をし、また、垂直パイプ３に繋がれたペットボトルは植物に供給する水の貯水タンクの役目をする。
【００３１】
また、本発明の植物栽培ユニット８に繋がれる貯水タンク７が、該タンク開口部の内径より大きい球形体であって水に対して浮力を有する弾性球体からなる水封止体１０を内蔵した構成となっている。この水封止体１０は、貯水タンクの開口部を垂直上方向にして貯水タンク７に水を供給したとき、水封止体１０の浮力により貯水タンク７の開口部において封止するので密栓の役目をし、給水した貯水タンク７を逆さまにしても水が漏れることなく垂直パイプ３に容易に繋ぐことができる機能を有している。この水封止体１０は、例えばポリウレタンやスポンジからなる弾性球体を用いることができる。またさらに水封止体１０を発色体や色彩体とすることにより貯水タンク７内の水位が容易に判別することができる。
【００３２】
また、本発明の植物栽培ユニット８は、該ユニットに貯水タンク７と給水分岐パイプ１を繋いだ際、貯水タンク７の内部に設けられた水封止体１０が給水分岐パイプ１の垂直パイプ３開口部に設けられた突起棒５により、水封止体１０が押し上げられて貯水タンク７内の水が栽培タンク６内に注入されるような構成となっている。
【００３３】
また、本発明の植物栽培ユニット８を構成する栽培容器６及び貯水タンク７の少なくともどちらか一方を再利用ペットボトルを用いることができる。そのため本発明の植物栽培ユニット８は経済的であるだけでなく、資源の再利用にも貢献することができる。
【００３４】
上述したような本発明の給水分岐パイプ及びこれを用いた植物栽培ユニットは、一般家庭や職場等で発生する飲み干したペットボトルを該パイプに接続するだけで植物栽培容器として利用できるため、経済的且つ簡易に植物栽培が行えるという優れた効果を有している。
【００３５】
また、安価に製造できるため経済的であるというだけでなく、さらに小型であるため大きな場所を必要としなく狭い場所でも植物栽培を行うことができるという効果がある。
【００３６】
また、本発明の植物栽培ユニットを複数敷設することによりビルの屋上などの広敷地でも経済的に屋上緑化を行うことができるという優れた効果がある。
【００３７】
また、本発明の植物栽培ユニットは、ビルの屋上や学校の通路、さらにマンションのベランダ等土壌が存在しない場所においても植物栽培を実施できるという効果がある。
【００３８】
また、ビルの屋上等に本発明の植物栽培ユニットを使用することにより、経済的に屋上緑化が実施できるだけでなく、地球の温暖化の解消や環境の美化に貢献できるという優れた効果を有している。
【００３９】
実施例
以下実施例に基づいて本発明をさらに具体的に説明するが、本発明はこれらの実施例に限定されるものではない。
【実施例１】
【００４０】
本発明の給水分岐パイプ１及びこれを用いた植物栽培ユニット８を利用した植物栽培の例を図３から図７を参照して説明する。まず図３に示したようにペットボトルの一平面状に植物１５を植えるための植物植え穴６aを施工した栽培容器６を３個用意する。次に該栽培容器６を給水分岐パイプ１の水平パイプ２にキャップ４によりネジ締めして装着する。
【００４１】
次に、図７に示すように植物栽培容器６の底部に植物植え穴６aから適量の用土を入れ、栽培したい植物の苗又は種を用土に植え付ける。次に図４に示したようにペットボトルの開口部内径よりより大きい球形体で水に対して浮力を有する弾性球体からなる水封止体１０をペットボトルを利用した貯水タンク７内に挿入する。この場合水封止体１０は、例えばポリウレタンやスポンジを用いることができる。
【００４２】
次に、上述した貯水タンク７に水を供給し水封止体１０が貯水タンク７の開口部に達して水圧により封止され密栓された状態になったらペットボトルに付属するキャップで蓋をする。この状態になったら図５に示したように給水タンク７を逆さまにしても水封止体１０は、給水タンク７の開口部で封止した状態で浮き上がることはない。
【００４３】
次に、図６に示したようにペットボトルのキャップを外した給水タンク７を逆さまにして給水分岐パイプ１の垂直パイプ３に挿入し、キャップ４によりネジ締めして装着する。このとき給水タンク７開口部の水封止体１０は、垂直パイプ開口部に設けられた突起棒５によって押し上げられて上昇し、貯水タンク７内の水が栽培タンク６内に注入される。この場合、水はＬのレベルまで注入されると注入が停止する。そして水位が低下するとその都度Ｌのレベルまで連続して水が供給される。
【００４４】
そして、貯水タンク７内の水量は容易に判別できるので水が無くなったら給水タンク７を取り外し再度水を供給し上述した要領で給水タンク７を垂直パイプ３に再装着すればよい。
【実施例２】
【００４５】
本発明の給水分岐パイプ１及びこれを用いた植物栽培ユニット８を利用した植物栽培の例を図８を参照して説明する。図８は、実施例１と同様に用意した植物栽培ユニット８を複数準備しビルの屋上の一面に設置してビルの屋上緑化を形成したものである。本実施例では、植物栽培ユニット８を亀の甲状に設置したが、これに限ることなく種々の形態に設置することにより、屋上に植物の模様を作ることができる。例えば、種々の開花色の植物を色別に区画して設置することにより色とりどりの花壇を形成することができる。  
また、ビルだけでなく学校の通路やベランダ等に適宜量の植物栽培ユニット８を設置することにより美しい花壇を形成することができる。
【図面の簡単な説明】
【００４６】
【図１】本発明に係る給水分岐パイプ１の平面図である。
【図２】本発明に係る給水分岐パイプ１の正面図である。
【図３】本発明に係る植物栽培ユニット８の平面図である。
【図４】本発明に係る貯水タンク７へ水を注入し終わった状態の正面図である。
【図５】本発明に係る給水分岐パイプ１に装着する直前の貯水タンク７状態の正面図である。
【図６】本発明に係る貯水タンク７を給水分岐パイプ１に装着した直後の正面図である。
【図７】本発明に係る植物栽培ユニット８を用いた植物栽培を示す正面図である。
【図８】本発明に係る植物栽培ユニット８を複数設置した平面図である。
【符号の説明】
【００４７】
１                    給水分岐パイプ
２                    水平パイプ
３                    垂直パイプ
４                    キャップ
５                    突起棒
６                    栽培容器
６a                  植物植え穴
７                    貯水タンク
８                    植物栽培ユニット
９                    水注入口
１０            水封止体
１１            水
１２            用土
１３            貯め水
１４            ペットボトル用キャップ
１５            植物
【図１】
2006136309.tif 000003
【図２】
2006136309.tif 000004
【図３】
2006136309.tif 000005
【図４】
2006136309.tif 000006
【図５】
2006136309.tif 000007
【図６】
2006136309.tif 000008
【図７】
2006136309.tif 000009
【図８】
2006136309.tif 000010